【事件の表示】
　特許第２８９４５６８号「インクジェット用インク」の特許に対する特許異議の申立てについて、次のとおり決定する。
【結　論】
　訂正を認める。
　特許第２８９４５６８号の特許を維持する。
【理　由】
Ｉ　手続の経緯
　特許第２８９４５６８号の発明は、平成２年３月６日に特許出願され、平成１１年３月５日にその特許権の設定登録がなされ、その後、平井優子より特許異議の申立てがなされ、取消理由が通知され、その指定期間内である平成１２年７月２４日に訂正請求がなされたものである。
II　訂正の適否についての判断
１　訂正の内容
　本件訂正請求は、本件特許第２８９４５６８号発明の明細書を訂正明細書のとおりに訂正することを求めるものであり、訂正の内容は次のとおりである。
（ａ）特許請求の範囲の記載について、「炭素数７〜１０のアルキレングリコール」とあるのを「炭素数７のアルキレングリコール」と訂正する。
（ｂ）明細書４頁１５行〜１９行（特許公報第２欄３３行〜３６行）の「即ち、本発明は、色素と液媒体とを含む組成物であって、前記液媒体中に６０重量％以上の水及び０．２〜３０重量％の炭素数７〜１０のアルキレングリコールを含有することを特徴とするインクジェット用インクである。」とあるのを「即ち、本発明は、色素と液媒体とを含む組成物であって、前記液媒体中に６０重量％以上の水及び０．２〜３０重量％の炭素数７のアルキレングリコールを含有することを特徴とするインクジェット用インクである。」と訂正する。
（ｃ）平成９年７月２８日付けの手続補正書２頁３行（特許公報第４欄５行）（特許公報４欄１５行）（特許公報４欄３２行）の「炭素数７〜１０」とあるのを「炭素数７」と訂正する。
（ｄ）明細書８頁下から１行〜９頁１行（特許公報第５欄４７行〜４８行）の「炭素数が７〜１０のものがより好適である。」とあるのを「炭素数７のものを使用する。」と訂正する。
（ｅ）明細書１４頁７行（特許公報第８欄３２行）の「実施例１〜５」とあるのを「実施例１〜５（但し、インクＢは参考例）」と訂正する。
（ｆ）明細書１４頁１２行（特許公報第８欄３６行〜３７行）の「本発明」とあるのを「本発明及び参考例」と訂正する。
（ｇ）明細書１５頁８行（特許公報第９欄１行）の「インクＢ」とあるのを「インクＢ（参考例）」と訂正する。
（ｈ）明細書１８頁の第１表中（特許公報第６頁）の「実施例」とあるのを「実施例・参考例」と訂正する。
２　訂正の目的の適否、新規事項の有無及び拡張・変更の存否
（ａ）の訂正は、明細書４頁１７行の「炭素数７〜１０のアルキレングリコール」を「炭素数７のアルキレングリコール」に限定するものであるから、特許請求の範囲の減縮を目的とするものと認められる。
　（ｂ）〜（ｈ）の訂正は、特許請求の範囲の減縮に係る（ａ）の訂正によって、不整合となった明細書の詳細な説明の整合を図るものであるから、明りょうでない記載の釈明を目的とするものと認められる。
　そして、上記訂正に係る（ａ）は、「炭素数７以上のアルキレングリコール」の記載に基づくものであり、そのほかいずれも願書に添付した明細書に記載の事項の範囲内のものであることは明らかである。そして、上記各訂正は実質上特許請求の範囲を拡張し、又は変更するものではない。
３　独立特許要件の判断
（１）本件発明
　訂正後の請求項１に係る発明（以下、「本件発明」という。）は、特許請求の範囲の請求項１に記載された次のとおりのものである。
「（１）色素と液媒体とを含む組成物であって、前記液媒体中に６０重量％以上の水及び０．２〜３０重量％の炭素数７のアルキレングリコールを含有することを特徴とするインクジェット用インク。」
（２）引用刊行物等の記載事項
　イ．当審が通知した取消理由で引用した刊行物１（特開平１−２６６１７３号公報、甲第１号証）には、
「水溶性染料、水溶性有機溶剤及び水を必須成分とする水性記録用インクにおいて、下記一般式で表される化合物
　　　（式中、ｎは３〜１５の範囲の整数である。）
を含有することを特徴とする水性記録用インク。」（特許請求の範囲）、また、「この発明はノズルでの目詰まりがなく、吐出安定性に優れ、且つ記録後においては普通紙に対しても速乾性で、しかも裏写り、滲み等の問題がなく、良好な印字品質が得られるような水性記録用インクを提案することを目的とするものである。」（第２頁右上欄６〜１１行）、「水溶性染料、水溶性有機溶剤と水を必須成分とする水性記録用インク中に添加される上記構造式のポリオキシエチレンベンジルエーテルは・・・、インクジェット記録の際のインク液の安定吐出に有害な気泡性がなく、また無臭で安全性も高く、染料のインクに対する溶解性の向上作用を有している。特に、このポリオキシエチレンベンジルエーテルは、インク組成物に添加した場合、液の表面張力を極端に下げることなく、高い表面張力のインク組成物にも拘らず、紙に対して十分な浸透力を有する。」（第３頁左上欄３〜１４行）、「一方、一般に水性インクに、・・・・油状物質を添加することは知られている。・・・、これら油状物質を配合したインクは極めて安定性が良くないことと、粘性が高くなる欠点があった。このような油状物質含有インクの欠点をなくし、油状物質含有の特長を保持させることができる物質として分子内に−ＯＨ基を有し、水に難溶性、微溶性な溶剤、例えば２−エチル−１，６−ヘキサンジオール、・・・などがあり、これらは水性インクに０．１〜１０．０ｗｔ％添加されて前記の油状物質含有インクの特長を有し、しかも安定性の良い水性インク組成が得られる。」（第３頁右上欄９行〜左下欄１１行）、
「配合例８
　Ｃ．Ｉ．Ａｃｉｄ　Ｂｌｕｅ　＃２３４　　　２．０ｗｔ％
　２−エチル−１，６−へキサンジオール　　　１．０ｗｔ％
　ＰＥＧ　＃２００　　　　　　　　　　　　１０．０ｗｔ％
　デヒドロ酢酸ソーダ　　　　　　　　　　　　０．１ｗｔ％
　ボリオキシエチレンベンジルエーテル（ｎ＝１２）６．０ｗｔ％
　イオン交換水　　　　　　　　　　　　　　　　　残部　」（なお、「２−エチル・１，６−へキシルデオール」は「２−エチル−１，６−へキサンジオール」の誤記と認める。）（第５頁右下欄第５行〜第１３行）と記載されている。
　ロ．また、当審が通知した取消理由で引用した本件出願の出願日前の出願であって、その出願後に出願公開された特願平１−１１７５７３号（特開平２−１３８３７４号公報参照、甲第２号証）の願書に最初に添付した明細書（以下、「先願明細書２」という。）には、インクジェット記録用水性インクとして、
「配合例８
　Ｃ．Ｉ．Ａｃｉｄ　Ｂｌｕｅ　＃２３４　　　２．０ｗｔ％
　２−エチル−１，３−へキサンジオール　　　１．０ｗｔ％
　ＰＥＧ　＃２００　　　　　　　　　　　　１０．０ｗｔ％
　デヒドロ酢酸ソーダ　　　　　　　　　　　　０．１ｗｔ％
　ベンジルエーテル（ｍ＝０，ｎ＝１２）　　　６．０ｗｔ％
　イオン交換水　　　　　　　　　　　　　　　　　残部」
（第５頁右上欄第４行〜第１０行）及び
「配合例１９
　Ｃ．Ｉ．Ａｃｉｄ　Ｂｌｕｅ　＃２３４　　　２．０ｗｔ％
　２−エチル−１，３−へキサンジオール　　　１．０ｗｔ％
　ＰＥＧ　＃２００　　　　　　　　　　　　１０．０ｗｔ％
　デヒドロ酢酸ソーダ　　　　　　　　　　　　０．１ｗｔ％
　ベンジルエーテル（ｍ＝４，ｎ＝８）　　　　６．０ｗｔ％
　イオン交換水　　　　　　　　　　　　　　　　　残部」
（第６頁右上欄第８行〜第１４行）と記載されている。
（３）対比、判断
　イ．特許法第２９条第１項第３号及び第２項違反について
　本件発明と上記刊行物１に記載の発明とを対比すると、両者は、色素と液媒体とを含む組成物であって、前記液媒体中に６０重量％以上の水及び有機溶剤を含有するインクジェット用インクである点で一致するが、本件発明では、有機溶剤として、炭素数が７のアルキレングリコールを使用するのに対して、刊行物１記載の発明では、一般式で表されるポリオキシベンジルエーテルを使用する点で相違する。
　その相違する点を検討すると、刊行物１には、配合例８として、ポリオキシエチレンベンジルエーテルと炭素数が８である２−エチル−１，６−ヘキサンジオールとを配合するものがあるが、該ベンジルエーテルは、液の表面張力を極端に下げることなく、高い表面張力のインク組成物にも拘らず、紙に対して十分な浸透力を付与するもの（第３頁左上欄３〜１４行）であり、また、２−エチル−１，６−ヘキサンジオールは、油状物質含有インクの特長を有し、しかも安定性の良い水性インク組成が得るためのもの（第３頁右上欄９行〜同左下欄１１行）と認められる。
　それに対して、本件発明の炭素数が７のアルキレングリコールは、炭素数７のアルキレングリコールを含むインクが滲みと浸透性の点でバランスのとれたものであり、更に目詰り防止性においても信頼性の高い物質であることを見出したもの（訂正明細書第２頁２６行〜第３頁１行）であり、両者は有機溶剤の成分及びその配合目的を異にするものである。
　そして、本件発明で、炭素数７のアルキレングリコールをインクに配合することにより、明細書に記載されたとおりの顕著な効果を奏するものと認められる。
　したがって、本件発明は、刊行物１に記載された発明であるとも、あるいは、刊行物１に記載された発明に基づいて当業者が容易に発明をすることができたものであるとも認められない。
　ロ．特許法第２９条の２違反について
　本件発明と先願明細書２に記載の発明とを対比すると、両者は、色素と液媒体とを含む組成物であって、前記液媒体中に６０重量％以上の水及びアルキレングリコールを含有するインクジェット用インクである点で一致するが、本件発明では、アルキレングリコールの炭素数が７であるのに対して、先願明細書２に記載のアルキレングリコールは、２−エチル−１，３−へキサンジオールであって、炭素数が８であるアルキレングリコールを使用する点で相違する。
　したがって、本件発明と先願明細書２に記載の発明とは、成分組成が異なり、同一であるとは認められない。
（４）むすび
　よって、本件発明は、特許出願の際独立して特許を受けることができるものである。
４　訂正の適否についての結論
　以上のとおりであるから、上記訂正請求は、特許法第１２０条の４第２項及び同条第３項で準用する第１２６条第２から４項の規定に適合するので、当該訂正を認める。
III　特許異議申立についての判断
１　異議申立理由の概要
　異議申立人は、（１）訂正前の発明は、甲第１号証（刊行物１）に記載された発明であるか、又は甲第１号証に記載された発明に基づき当業者が容易に発明をすることができたものであるから、特許法第２９条第１項第３号或いは特許法第２９条第２項の規定により、特許を受けることができず、本件特許は取り消されるべきものである旨主張している。
　また、異議申立人は、（２）訂正前の発明は、本件出願前に出願され、本件出願後に出願公開された甲第２号証（先願明細書２）に係る出願の願書に添付された明細書に記載された発明と同一であるから、特許法第２９条の２の規定により特許を受けることができず、本件特許は取り消されるべきものである旨主張している。
２　異議申立についての判断
（１）第２９条第１項及び第２項違反について
　上記３（３）イ．に示したのと同じ理由により、本件発明は、甲第１号証に記載された発明であるとも、又は甲第１号証に記載された発明に基づいて当業者が容易に発明をすることができたものとも認められない。
（２）第２９条の２違反について
　上記３（３）ロ．に示したのと同じ理由により、本件発明は、先願明細書２（甲第２号証参照）に記載された発明と同一であるとは認められない。
IV　むすび
　以上のとおりであるから、特許異議申立ての理由及び証拠によっては、本件発明に係る特許を取り消すことができない。
　また、他に本件発明に係る特許を取り消すべき理由を発見しない。
　よって、結論のとおり決定する。
【異議決定日】
平成１３年２月２１日（２００１．２．２１）
【訂正の要旨】
訂正の要旨
（ａ）特許請求の範囲の請求項１の記載について、「炭素数７〜１０のアルキレングリコール」とあるのを「炭素数７のアルキレングリコール」と訂正する。
（ｂ）明細書４頁１５行〜１９行（特許公報第２欄３３行〜３６行）の「即ち、本発明は、色素と液媒体とを含む組成物であって、前記液媒体中に６０重量％以上の水及び０．２〜３０重量％の炭素数７〜１０のアルキレングリコールを含有することを特徴とするインクジェット用インクである。」とあるのを「即ち、本発明は、色素と液媒体とを含む組成物であって、前記液媒体中に６０重量％以上の水及び０．２〜３０重量％の炭素数７のアルキレングリコールを含有することを特徴とするインクジェット用インクである。」と訂正する。
（ｃ）平成９年７月２８日付けの手続補正書２頁３行（特許公報第４欄５行）（特許公報４欄１５行）（特許公報４欄３２行）の「炭素数７〜１０」とあるのを「炭素数７」と訂正する。
（ｄ）明細書８頁下から１行〜９頁１行（特許公報第５欄４７行〜４８行）の「炭素数が７〜１０のものがより好適である。」とあるのを「炭素数７のものを使用する。」と訂正する。
（ｅ）明細書１４頁７行（特許公報第８欄３２行）の「実施例１〜５」とあるのを「実施例１〜５（但し、インクＢは参考例）」と訂正する。
（ｆ）明細書１４頁１２行（特許公報第８欄３６行〜３７行）の「本発明」とあるのを「本発明及び参考例」と訂正する。
（ｇ）明細書１５頁８行（特許公報第９欄１行）の「インクＢ」とあるのを「インクＢ（参考例）」と訂正する。
（ｈ）明細書１８頁の第１表中（特許公報第６頁）の「実施例」とあるのを「実施例・参考例」と訂正する。
（５４）【発明の名称】
インクジェット用インク
（５７）【特許請求の範囲】
（１）色素と液媒体とを含む組成物であって、前記液媒体中に６０重量％以上の水及び０．２〜３０重量％の炭素数
７の
【発明の詳細な説明】
　（産業上の利用分野）
　本発明は、インクジェット用のインクに関し、更に詳しくはインクジェット用に特別に調整された塗工紙は勿論、一般にオフィスや家庭で使用されているコピー用紙、レポート用紙、ノート、便筆、ボンド紙、連続伝票用紙等の非塗工紙、所謂普通紙に対しても高精細且つ高画質記録が可能な高速定着タイプのインクジェット用インクに関する。
　（従来の技術）
　従来からインクジェット用インクについては、実に様々な組成のものが報告されている。中でも近年はオフィスで一般に使用されているコピー用紙、レポート用紙、ノート、便筆、ボンド紙、連続伝票用紙等の普通紙に対しても高速定着し且つ良好な品位の記録を行うことが出来る様に、インクの組成及び物性等の多様な面から詳細な研究開発が為されている。
　例えば、一般にインク中には乾燥防止、目詰り防止等の目的でグリコール等の高沸点有機溶剤が含有されているか、この様なインクを用いてサイズ度の高い普通紙に記録を行った場合には、紙内部ヘインクが浸透しにくく、且つ記録部の乾燥性が悪い為、記録物を手で触れるとインクが手についたり、文字が擦れて汚れたりする等の定着性の問題があった。
　これに対して、紙内部へのインクの浸透性を高める為に、特開昭５５−２９５４６号公報にはインク中に多量の界面活性剤を添加する方法が提案されている。しかし、この場合には紙の種類によっては滲みが非常に多く発生したり、インクをインクジェット用ヘッドに充填した場合に、ヘッドの構造条件によってはインクかオリフィス面より後退して吐出が行われなかったり、逆にオリフィス面全体が濡れてインクか吐出しない等のトラブルが見られた。
　更に、特開昭５６−５７８６２号公報にはインクのｐＨを強アルカリ性にする方法が提案されているが、この場合はインクに手を触れた場合に危険であり、又、ある種のサイズ剤を用いた紙、例えば、中性紙等に対しては惨み、乾燥性の点で共に良好でない場合がある等の欠点がある。
　上記以外にも種々の改良が試みられているが、前記の滲みと乾燥性及びインクの安全性の問題、更には目詰り性の問題を全て十分に解決するというインクは、今迄のところ知られていないのが現状である。
　（発明が解決しようとしている問題点）
　そこで本発明の目的は、オフィス等で一般に使用されているコピー用紙、レポート用紙、ノート、便筆、ボンド紙、連続伝票用紙等の非塗工紙、所謂普通紙に記録した場合のインクの惨み及び記録物の遅乾性の問題を格段に解決し、印字品位に優れたインクジェット用インクを提供することにある。
　又、本発明の別の目的はオフィスや家庭における使用においても安全性の高いインクジェット用インクを提供することにある。
　更に本発明の他の目的は、インクジェット用ヘッドのノズルにおける目詰りを起こしにくい、信頼性にも優れたインクを提供することにある。
　（問題点を解決する為の手段）
　上記目的は以下の本発明によって達成される。即ち、本発明は、色素と液媒体とを含む組成物であって、前記液媒体中に６０重量％以上の水及び０．２〜３０重量％の炭素数
７の
　（作　用）
　本発明者等は、普通紙上におけるインクの惨み、乾燥性及び浸透性を改善し、更にインクジェット用ヘッドのノズルにおける目詰りを起こしにくい信頼性の優れたインク組成について鋭意検討の結果、炭素数
７の
　即ち、本発明者等の研究によれば、普通紙上でのインクの滲み及び浸透性に関しては、通常のインクに使用されている様な界面活性剤を用いた場合には、紙の種類によって良好な場合とそうでない場合が混在し、安定した記録が得られにくい。これに対して、本発明で使用する炭素数
７の
　この理由としては、インクの滲みと浸透性は主としてインク液滴と紙との界面での濡れの現象によって大きく支配されているが、界面活性剤を用いた場合には、紙に付着したインク液滴の表面部分と内部部分で濡れに対する性質が異なってしまう為良好な結果か得られないのに対し、本発明のインクの場合、その様なことが生じにくいこと、更には、本発明のインクは、紙の表面又は内部に添加されるサイズ剤とインクとの親和性が、普通紙に対応し得るインクジェット用インクとして、絶妙なバランス関係にある為と思われる。
　（好ましい実施態様）
　次に好ましい実施態様を挙げて本発明を更に詳しく説明する。
　本発明で使用し主として本発明を特徴づける化合物は、炭素数７のアルキレングリコールであり、いずれも従来公知の方法で得られるものである。上記化合物の好ましい具体例は以下の通りであるが、本発明はこれらの具体例に限定されるものではない。
　以上の具体例は、本発明者等が鋭意検討の結果特に好適なものとして選択したものであり、なかでも
炭素数が７のものを使用する。
　以上の如きアルキレングリコールは単独でも混合物としても使用出来、これらのインクヘの添加量は、使用する色素や併用する他の液媒体成分等によっても異るが、インク中で０．２〜３０重量％を占める割合である。
　本発明のインクジェット用インクは、色素と共に上記の如きアルキレングリコールを含有することを特徴とするが、その他従来公知のインクに使用されている水及び一般的な有機溶剤も併用出来、例えば、有機溶剤としては、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール、イソブチルアルコール、ｎ−ペンタノール等の炭素数１〜５のアルキルアルコール類；ジメチルホルムアミド、ジメチルアセトアミド等のアミド類；アセトン、ジアセトンアルコール等のケトン又はケトアルコール類；テトラヒドロフラン、ジオキサン等のエーテル類；ジエチレングリコール、トリエチレングリコール、テトラエチレングリコール、ジプロピレングリコール、トリプロピレングリコール、ポリエチレングリコール、ポリプロピレングリコール等のオキシエチレン又はオキシプロピレン付加重合体；エチレングリコール、プロピレングリコール、トリメチレングリコール、ブチレングリコール、１，２，６−ヘキサンアルキレングリコール、ヘキシレングリコール等のアルキレン基が２〜６個の炭素原子を含むアルキレングリコール類；チオジグリコール；グリセリン；エチレングリコールモノメチル（又はエチル）エーテル、ジエチレングリコールモノメチル（又はエチル）エーテル、トリエチレングリコールモノメチル（又はエチル）エーテル等の多価アルコールの低級アルキルエーテル類；トリエチレングリコールジメチル（又はエチル）エーテル、テトラエチレングリコールジメチル（又はエチル）エーテル等の多価アルコールの低級ジアルキルエーテル類；スルホラン、Ｎ−メチル−２−ピロリドン、１，３−ジメチル−２−イミダゾリジノン等が挙げられる。
　上記水溶性有機溶剤の含有量は、一般にはインクの全重量に対して重量％で２％〜５０％、好ましくは２％〜３０％の範囲である。
　上記の如き媒体は単独でも混合物としても使用出来るが、最も好ましい液媒体組成は、水と１種以上の有機溶媒からなり、該溶剤が少なくとも１種以上の水溶性高沸点有機溶剤、例えば、ジエチレングリコール、トリエチレングリコール、グリセリン等の多価アルコールを含有するものである。
　本発明のインクを構成する色素としては、直接染料、酸性染料、食用染料、塩基性染料、反応染料、分散染料、建染染料、可溶性建築染料、反応分散染料、油性染料、各種顔料が挙げられるが、中でも水溶性の染料はインクの性能上特に好ましいものである。
　これら色素の含有量は液媒体成分の種類、インクに要求される特性等に依存して決定されるが、一般的にはインク全量中で重量％で約０．２〜２０％、好ましくは０．５〜１０％、より好ましくは１〜５％を占める割合である。
　本発明のインクの主成分は上記の通りであるが、その他各種の分散剤、界面活性剤、粘度調整剤、表面張力調整剤、蛍光増白剤等を本発明の目的の達成を妨げない範囲において必要に応じて添加することが出来る。
　例えば、ポリビニルアルコール、セルロース類、水溶性樹脂等の粘度調整剤；カチオン、アニオン或いはノニオン系の各種界面活性剤、ジエタノールアミン、トリエタノールアミン等の表面張力調整剤；緩衝液によるｐＨ調整剤；防カビ剤等を挙げることか出来る。
　又、インクを帯電するタイプのインクジェット記録方法に使用されるインクを調合する為には、塩化リチウム、塩化アンモニウム、塩化ナトリウム等の無機塩類等の比抵抗調整剤か添加される。
　尚、本発明のインクは、熱エネルギーによるインクの発泡現象によりインクを吐出させるタイプのインクジェット記録方法に適用する場合に特に好適であり、吐出か極めて安定となり、サテライトドットの発生等か生じないという特徴がある。但しこの場合には、熱的な物性値（例えば、比熱、熱膨張係数、熱伝導率等）を調整する場合もある。
　更に、本発明のインクは普通紙等に記録した場合のインクの惨み及び記録物の乾燥性、浸透性の問題を解決すると同時に、インクジェット用ヘッドに対するマッチングを良好にする面から、インク自体の物性として２５℃における表面張力が３０〜６８ｄｙｎｅ／ｃｍ、粘度が１５ｃＰ以下、好ましくは１０ｃＰ以下、より好ましくは５ｃＰ以下に調整されることが望ましい。
　従って、上記物性にインクを調整し、普通紙における問題をより十分に解決するためには、特に水を特定量含有させることが必要であり、本発明においては、液媒体中に６０重量％以上の水を含有させる。
　（実施例）
　次に実施例及び比較例を挙げて本発明を更に具体的に説明する。尚、文中、部及び％とあるのは特に断りのない限り重量基準である。
実施例１〜５（但し、インクＢは参考例）
　下記の成分を混合して５時間撹拌後、水酸化ナトリウムの０．１％水溶液にてｐＨを７．５に調節し、更にポアサイズが０．２２μｍのメンブランフィルター（商品名　フロロポアフィルター、住友電工（株）製）にて加圧濾過し、本発明
及び参考例
　次に、得られたインクＡ〜Ｅを用いて、インクジェット記録装置として、発熱素子をインクの吐出エネルギー源として利用したインクジェットプリンターＢＪ−１３０（商品名：キヤノン（株）製）を使用し、市販のコピー用紙及びボンド紙に記録を行い、得られた記録物の定着性、髭状の滲みの発生率、プリントー時停止後の再プリント時の目詰り性及び周波数応答性を評価した。この結果を第１表に示す。
インクＡ
　Ｃ．Ｉダイレクトイエロー８６　　　　　　２部
ジエチレングリコール　　　　　　　　　　１５部
　化合物例１　　　　　　　　　　　　　　　５部
　水　　　　　　　　　　　　　　　　　　７８部
インクＢ（参考例）
　Ｃ．Ｉ．アシッドレッド３５　　　　　　　２部
　グリセリン　　　　　　　　　　　　　　　５部
　化合物例１３　　　　　　　　　　　　　　８部
　エチレングリコール　　　　　　　　　　　５部
　水　　　　　　　　　　　　　　　　　　８０部
インクＣ
　Ｃ．Ｉ．フードブラック２　　　　　　　　３部
　トリエチレングリコール　　　　　　　　１０部
　Ｎ−メチル−２−ピロリドン　　　　　　　２部
　化合物例２　　　　　　　　　　　　　　　２部
　水　　　　　　　　　　　　　　　　　　８３部
インクＤ
　Ｃ．Ｉダイレクトブルー１９９　　　　２．５部
　ポリエチレングリコール（分子量３００）　５部
　ジエチレングリコール　　　　　　　　　１０部
　トリエチレングリコールモノメチルエーテル
　　　　　　　　　　　　　　　　　　　　　２部
　トリエタノールアミン　　　　　　　　０．５部
　化合物例６　　　　　　　　　　　　　　　５部
　水　　　　　　　　　　　　　　　　　　７５部
インクＥ
　Ｃ．Ｉ．ダイレクトブラック１５４　　　　２部
　チオジグリコール　　　　　　　　　　　　５部
　ジエチレングリコール　　　　　　　　　　８部
　化合物例５　　　　　　　　　　　　　　　７部
　水　　　　　　　　　　　　　　　　　　７８部
比較例１〜４
　下記成分を夫々用いて、実施例１〜５と同様の方法で、比較例１〜４のインクＦ〜１を得て、実施例と同様に各種評価を行った。その結果を第１示す。
インクＦ
　Ｃ．Ｉダイレクトイエロー８６　　　　　　２部
　ジエチレングリコール　　　　　　　　　２０部
　水　　　　　　　　　　　　　　　　　　７８部
インクＧ
　Ｃ．Ｉ．フードブラック２　　　　　　　　３部
　ジエチレングリコール　　　　　　　　　１０部
　トリエチレングリコール　　　　　　　　１０部
　ノニオン系界面活性剤（商品名　ニッサンノニオンＰ２２３、日本油脂（株）製）
　　　　　　　　　　　　　　　　　　　０．５部
　水　　　　　　　　　　　　　　　　７６．５部
インクＨ
　Ｃ．Ｉアシッドレッド３５　　　　　　　　２部
　グリセリン　　　　　　　　　　　　　　１３部
　エチレングリコール　　　　　　　　　　　５部
　水　　　　　　　　　　　　　　　　　　８０部
インクＩ
　Ｃ．Ｉ．フードブラック２　　　　　　　　３部
　トリエチレングリコール　　　　　　　　１０部
　Ｎ−メチル−２−ピロリドン　　　　　　　２部
　エタノール　　　　　　　　　　　　　　　１部
　水　　　　　　　　　　　　　　　　　　８４部
＊１　定着性評価
　市販のコピー用紙及びボンド紙に印字して１０秒後及び３０秒後に印字部を濾紙（商品名：Ｎｏ．５Ｃ、東洋濾紙（株）製）にて擦り、以下の様に評価した。
　（２５℃、６０％ＲＨの条件下にて評価）
　◎…１０秒でカスレ　無し
　○…１０秒でカスレ　小
　△…３０秒でカスレ　小
　×…３０秒でカスレ　大
＊２　滲み発生率
　滲みの発生率については、市販のコピー用紙及びボンド紙にプリンターで３００ドットを不連続になる様に印字した後、１時間以上放置し、その後顕微鏡で髭状の滲みを発生したドットの数を数え、全ドット数に対する割合を％で表示し下記の様に評価した。　（２５℃、６０％ＲＨの条件下にて印字）
　○…１０％以下
　△・・・１１〜３０％
　×…３１％以上
＊３　目詰り性
　目詰り性とは、プリントー時停止後の再プリント時の目詰り性をいい、プリンターに所定のインクを充填して１０分間連続して英数文字を印字した後、プリントを停止し、キャップ等をしない状態、で１０分間放置した後、再び英数文字を印字した場合の文字のカスレ、欠け等の不良箇所の有無により評価した。
　　（２５℃、６０％ＲＨの条件下にて評価）
　○…一文字目から不良箇所無し
　△…一文字目の一部がカスレ又は欠ける
　×…一文字目が全く印字出来ない
＊４　周波数応答性
　得られた印字物の印字状態、即ちカスレや白抜け状態及びスプラッシュやヨレ等の着弾点不良状態を肉眼で観察し、評価した。
　◎…周波数に対するインクの追従状態は良好であり、ベタ印字キャラクタ印字共にカスレや白抜け、着弾点不良がみられなかった。
　○…周波数に対するインクの追従状態はほぼ良好であり、キャラクタ印字ではカスレや白抜け、着弾点不良がみられないが、ベタ印字において僅かにカスレがみられる。
　△…キャラクタ印字ではカスレや白抜けはみられないが一部着弾点不良がみられる。又、ベタ印字ではカスレ、白抜けがベタ印字全体の１／３程度みられる。
　×…ベタ印字においてカスレ、白抜けが多く、又キャラクタ印字においてもカスレや着弾点不良がたくさんみられる。
　（効果）
　以上説明した様に本発明のインクによれば、一般にオフィス等で使用されているコピー用紙、レポート用紙、ノート、便筆ボンド紙、連続伝票用紙等の普通紙に対しても滲みがなく品位の優れた、且つ定着性の良好な記録が可能となる。
　又、本発明によれば、オフィスや家庭における使用においても安全性の高いインクを得ることが出来る。
　更に、本発明のインクによれば、インクジェット用ヘッドのノズルにおける目詰りの発生しない信頼性の高い記録を行うことが出来、特に熱エネルギーによるインクの発泡現象によってインクを吐出させるタイプの記録においては周波数に対する応答性が格段に良好となる。